(57)【要約】【課題】LED反射板型ランプ構造の提供。【解決手段】LED反射板型ランプ構造は、主に、透光板、一対の挿入座、及び、挿入座を固定する固挟棒、からなる。透光板は、一層の反光膜材を被覆し、挿入座は、斜角座、散熱ブロック、LEDを配置する導電基板、折射レンズ、及び、レンズを装着する座環、からなる。斜角座の縮小する垂直辺は固挟棒側端に鎖固され、且つ、斜角座の斜端と透光板は角が相畳し、斜角座内に対応する透光板は、座環の折射レンズに置入される。斜角座は透光板の角畳接の一端を受け、散熱ブロックを嵌設し、導電基板を散熱ブロックと斜角座内に伸入し、導電基板上のLEDを折射レンズに向かせ、LEDが点灯する時、LEDの光線は折射レンズを通過し、透光板から反光膜材に偏折射入し、反光膜材により均等に反射して、透光板全体を発光させ、大面積照射となり、公知技術より、コストが安く、加工も容易で、消費電力が少なく、構造も回収できる。【選択図】    図２
0003133062.tif 000002
【実用新案登録請求の範囲】
【請求項１】
LED反射板型ランプ構造であって、主に、透光板、一対の挿入座、及び、挿入座を固定する固挟棒、からなり、その特徴は、前記透光板は、一層の反光膜材を被覆し、前記挿入座は、斜角座、散熱ブロック、LEDを配置する導電基板、折射レンズ、及び、レンズを装着する座環、からなり、前記斜角座の縮小する垂直辺は前記固挟棒側端に鎖固され、且つ、前記斜角座の斜端と前記透光板は角が相畳し、前記斜角座内に対応する前記透光板は、座環の折射レンズに置入され、前記斜角座は透光板の角畳接の一端を受け、散熱ブロックを嵌設し、導電基板を散熱ブロックと斜角座内に伸入し、前記導電基板上の前記LEDを折射レンズに向かせ、前記LEDが点灯する時、LEDの光線は折射レンズを通過し、前記透光板から前記反光膜材に偏折射入し、前記反光膜材により均等に反射して、透光板全体を発光させ、大面積照射となることを特徴とするLED反射板型ランプ構造。
【請求項２】
前記斜角座はアルミ材からなることを特徴とする請求項１に記載のLED反射板型ランプ構造。
【請求項３】
前記固挟棒は少なくとも一つのスロットを凹設することを特徴とする請求項１に記載のLED反射板型ランプ構造。
【請求項４】
前記散熱ブロックは板体の散熱本体からなり、表面は散熱銅箔を粘着し、前記散熱銅箔により導電基板に接触して、前記散熱ブロックが前記導電基板に接続されることを特徴とする請求項１、２、或いは、３に記載のLED反射板型ランプ構造。
【考案の詳細な説明】
【技術分野】
【０００１】
本考案は、LED反射型ランプ構造に関し、透明広告板のバックライトを代替する光電技術で、LEDの単点光源を励起し、ランプ照明として使用でき、公知の電球や蛍光灯管の透明板と比べると、製造コストが安く、加工が容易で、電力消耗が少なく、構造が回収できるランプ構造に関する。
【背景技術】
【０００２】
現在、ある広告看板は透明パネルの正面に広告や店名を印刷し、後板や板縁に電球や蛍光灯を点灯させて光線を射入し、板体全体を点灯させ、広告効果を達成する。
【０００３】
しかし、電球は発熱し、電力消耗も多いので、蛍光灯を広告板のランプとして使用するのが経済的であるが、エネルギー、環境保全の問題が重視される状況下で、蛍光灯の使用も理想的であるとは言えない。
【０００４】
その理由として、
１．  
環境保護に基づくと、多くの国家が蛍光層を塗布する蛍光灯は、焼壊した後、一定の回収ルートにより回収し、直接廃棄して環境汚染を起こさないように規定している。しかし、回収工程がどんなによくても、ガラス管内の蛍光塗料を除去するのは困難で、且つ、ガラス管の破片は回収者を傷つける恐れがある。更に、剥落した蛍光塗料は環境を汚染し、蛍光灯の回収には依然として多くの問題が存在する。
２．  
蛍光灯は現在の節電趨勢に対応できず、エネルギーの不足により、更に節電できる発光体の使用が必要である。
３．  
蛍光灯自身が自発光し、ランプ管は熱量を発するので、照明場所が微量に温度上昇し、電球による熱より小さいが、気象のバタフライ効果原理から見て、やはり適当ではなく、発熱量が更に低い発光体を使用すべきである。
【考案の開示】
【考案が解決しようとする課題】
【０００５】
本考案の目的は、上述の問題を改善するLED反射型ランプ構造を提供することにある。
【課題を解決するための手段】
【０００６】
本考案のLED反射板型ランプ構造は、主に、透光板、一対の挿入座、及び、挿入座を固定する固挟棒、からなる。透光板は、一層の反光膜材を被覆し、挿入座は、斜角座、散熱ブロック、LEDを配置する導電基板、折射レンズ、及び、レンズを装着する座環、からなる。斜角座の縮小する垂直辺は固挟棒側端に鎖固され、且つ、斜角座の斜端と透光板は角が相畳し、斜角座内に対応する透光板は、座環の折射レンズに置入される。斜角座は透光板の角畳接の一端を受け、散熱ブロックを嵌設し、導電基板を散熱ブロックと斜角座内に伸入し、導電基板上のLEDを折射レンズに向かせ、LEDが点灯する時、LEDの光線は折射レンズを通過し、透光板から反光膜材に偏折射入し、反光膜材により均等に反射して、透光板全体を発光させ、大面積照射となる。
【考案の効果】
【０００７】
本考案により、LEDが点灯する時、LEDの光線は折射レンズを通過し、透光板から反光膜材に偏折射入し、反光膜材により均等に反射して、透光板全体を発光させ、大面積照射となって、LEDの電力消耗と発熱を減少させ、ランプ型照明のエネルギー消耗を減少させ、且つ、回収処理が公知の蛍光灯より容易であるという長所が得られる。
【考案を実施するための最良の形態】
【０００８】
図１は、本考案のLED反射板型ランプ構造の外観側視図で、図２は立体分解図である。図からわかるように、本考案の構造は、主に、透光板１０、一対の挿入座２０、３０、及び、挿入座２０、３０を固定する固挟棒４０、からなる。透光板１０は固挟棒４０の管壁に向き、一層の反光膜材１１を被覆する。固挟棒４０はスロット４１を凹設する。
【０００９】
挿入座２０、３０は相同で対称であり、挿入座２０を例として説明すると、斜角座２１、散熱ブロック２２、LED２４を配置する導電基板２５、折射レンズ２６、及び、レンズ２６を装着する座環２７、からなる。散熱ブロック２２は板形の散熱本体２２A表面に散熱銅箔２２Bを粘着してなり、組成後の対応位置は、図３の断面図で示されるように、斜角座２１はアルミから生成されて反光強度を増加する。縮小する垂直辺は、ねじにより、固挟棒４０側端に鎖固され、斜角座２１の斜端と透光板１０は角が相畳し、斜角座２１内に対応する透光板１０は、座環２７の折射レンズ２６に置入される。斜角座２１は透光板１０の角畳接の一端を受け、散熱ブロック２２を嵌設し、ねじにより散熱ブロック本体２２Aと斜角座２１側壁と鎖固される。導電基板２５は散熱ブロック２２と斜角座２１内に伸入し、導電基板２５上のLED２４を折射レンズ２６に向かせ、レンズ２６は、図１のA-Aに沿った局部拡大図の図４で示されるように、ラッパ型の実心体で、受光射入端は凹縮してLED２４頂端の凹部２６Aに容納され、光線射出端は、光線を反光膜材１１に射出する鋸紋鏡面２６Bを形成する。
【００１０】
実施時、図１のA-Aに沿った図５の射光径路図で示されるように、LED２４が点灯する時、LED２４の光線は折射レンズ２６を通過し、透光板１０から反光膜材１１に偏折射入し、反光膜材１１により均等に反射して、透光板１０全体を発光させ、前に図示した別の端角内のLED発光と交錯し、大面積照射となって、LED２４の電力消耗と発熱を減少させ、ランプ型照明のエネルギー消耗を減少させ、且つ、回収処理が公知の蛍光灯より容易である。
【図面の簡単な説明】
【００１１】
【図１】本考案のLED反射板型ランプの外観側視図である。
【図２】本考案のLED反射型ランプの立体分解図である。
【図３】本考案のLED反射型ランプの構造断面図である。
【図４】本考案のLED反射型ランプの局部拡大図である。
【図５】本考案のLED反射型ランプの射光径路を示す図である。
【符号の説明】
【００１２】
１０  透光板
１１  反光膜材
２０、３０  挿入座
２１  斜角座
２２  散熱ブロック
２２A  散熱本体
２２B  散熱銅箔
２４  LED
２５  導電基板
２６  折射レンズ
２６A  凹部
２６B  鋸紋鏡面
２７  座環
４０  固挟棒
４１  スロット    
【図１】
0003133062.tif 000003
【図２】
0003133062.tif 000004
【図３】
0003133062.tif 000005
【図４】
0003133062.tif 000006
【図５】
0003133062.tif 000007